(57)【要約】【課題】そのカラー原稿情報を色空間ｓＹＣＣでＪＰＥＧ符号化して送信し、そのＪＰＥＧ符号の途中でＲＳＴ（リスタート）マーカを送信すると、受信機側がそのマーカを認識できずに通信エラーとなってしまう虞がある。【解決手段】カラー画像情報を通信可能なファクシミリ装置において、色空間ｓＹＣＣのＪＰＥＧ符号化情報の送信が指定されると（Ｓ５６）、その符号化情報の送信時にはＲＳＴマーカの送信を行わない（Ｓ５７）。【選択図】  図８
2004235991.tif 000002
【特許請求の範囲】
【請求項１】
カラー画像情報を通信可能なファクシミリ装置であって、
色空間ＬａｂでのＪＰＥＧ符号化情報の送信を受信機に通知する手段と、
色空間Ｌａｂでのフルカラー画像情報の送信を受信機に通知する手段と、
色空間ｓＹＣＣのＪＰＥＧ符号化情報の送信を受信機に通知する手段と、
色空間ｓＹＣＣのＪＰＥＧ符号化情報の送信が指定されるとＲＳＴマーカの送信を禁止するように制御する制御手段と、
を有することを特徴とするファクシミリ装置。
【発明の詳細な説明】
【０００１】
【発明の属する技術分野】
本発明は、カラー画像情報を送受信する技術に関するものである。
【０００２】
【従来の技術】
従来のカラー情報を通信可能なファクシミリ装置は、ＩＴＵ−Ｔ勧告Ｔ．３０，Ｔ．４，Ｔ．８１，Ｔ．４２で定められた色空間Ｌａｂでのカラー通信であった。最近はデジタルカメラが普及しており、このデジタルカメラで撮影したカラー画像情報をそのままファクシミリのプロトコルを使用して送信したいというニーズが高まってきた。しかし、デジタルカメラで使用しているカラー画像情報の色空間は、上記の勧告におけるＬａｂとは異なる色空間ｓＹＣＣである。このため、このデジタルカメラで扱われているカラー画像の色空間ｓＹＣＣでのＪＰＥＧ符号化情報を、上述の勧告の下でそのまま送信したいというニーズが発生している。
【０００３】
【発明が解決しようとする課題】
しかしながら、色空間ｓＹＣＣでＪＰＥＧ符号化したフルカラー画像の送信は基本的には、カラー原稿を読み取ったカラー画像情報の送信ではなく、デジタルカメラで撮影されてメモリカードに格納されているファイル情報を送信する場合が多いと思われる。このメモリカードに記憶されている画像情報を送信する場合は、少なくとも１ページ（枚）分のカラー画像情報がメモリカードに格納された後にカラー画像が送信されることになる。このため、従来の色空間Ｌａｂでのカラー原稿情報を送信する場合とは異なり、ファクシミリ通信を考慮した、途中でデータがエラーした後のリカバリーを行う場合が減り、その結果、ＲＳＴ（リスタート）を使用しない通信が多いことが予想される。このような状況の下で、カラー原稿画像を読み取り、そのカラー原稿情報を色空間ｓＹＣＣでＪＰＥＧ符号化して送信し、そのＪＰＥＧ符号の途中でＲＳＴ（リスタート）マーカを送信すると、受信機側がそのマーカを認識できずに通信エラーとなってしまう場合が危惧される。
【０００４】
本発明は上記従来例に鑑みてなされたもので、色空間ｓＹＣＣのＪＰＥＧ符号化でカラー原稿情報を送信する場合に、ＲＳＴ（リスタート）マーカを使用しないで送信することにより通信エラーの発生を抑えたファクシミリ装置を提供することを目的とする。
【０００５】
【課題を解決するための手段】
上記目的を達成するために本発明のファクシミリ装置は以下のような構成を備える。即ち、
カラー画像情報を通信可能なファクシミリ装置であって、
色空間ＬａｂでのＪＰＥＧ符号化情報の送信を受信機に通知する手段と、
色空間Ｌａｂでのフルカラー画像情報の送信を受信機に通知する手段と、
色空間ｓＹＣＣのＪＰＥＧ符号化情報の送信を受信機に通知する手段と、
色空間ｓＹＣＣのＪＰＥＧ符号化情報の送信が指定されるとＲＳＴマーカの送信を禁止するように制御する制御手段と、
を有することを特徴とする。
【０００６】
【発明の実施の形態】
以下、添付図面を参照して本発明の好適な実施の形態を詳細に説明する。
【０００７】
図１は、本発明の実施の形態に係るファクシミリ装置の構成を示すブロック図である。
【０００８】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報とを入力し、それらを加算した結果を信号線１２ａに出力する。
【０００９】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、各種モードを設定するためのキーやその他のファンクションキーを備えており、この操作部２０で操作されたキー情報はバス２６を介して出力される。この操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、メモリカード３０（例えば、デジタルカメラで撮影した情報が記憶されているカードメモリ）がセットされる。
【００１０】
図２は本発明の実施の形態に係る、カラー画像の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１１】
以上の構成を備える本実施の形態に係るカラー画像情報を通信可能なファクシミリ装置では、前手順にて、受信機から送信機に対して、色空間ＬａｂでのＪＰＥＧ符号化情報の受信機能の有無、色空間Ｌａｂでのフルカラー画像情報の受信機能の有無、色空間ｓＹＣＣでのＪＰＥＧ符号化情報の受信機能の有無を通知する。
【００１２】
一方、送信機から受信機には、色空間ＬａｂでのＪＰＥＧ符号化情報の送信指定、色空間Ｌａｂでのフルカラー画像情報の送信指定、或いは色空間ｓＹＣＣでのＪＰＥＧ符号化情報の送信指定を行う。いま送信機から色空間ｓＹＣＣのＪＰＥＧ符号化データの送信が指定されると、送信機ではＲＳＴ（リスタート）マーカの送信を禁止する。一方、色空間ＬａｂのＪＰＥＧ符号化データの送信が指定されると、送信機ではＲＳＴ（リスタート）マーカの送信を許可する。
【００１３】
図３乃至図１０は、本発明の実施の形態に係るファクシミリ装置における処理を示すフローチャートであり、この処理を実行するプログラムはＲＯＭ２４に記憶されており、ＣＰＵ２２の制御の下に実行される。
【００１４】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ受信が選択されたか否かを判断し、ファクシミリ受信が選択された時はステップＳ５に進み、そうでない時はステップＳ８に進む。
【００１５】
受信が選択された時はステップＳ５に進み、バス２６を介してＮＣＵ２のＣＭＬをオンする。次にステップＳ６に進み、前手順を実行する。ここでは、ＤＩＳ信号のＦＩＦのビット６８，６９，Ｘビットを全て「１」にする。そしてステップＳ７に進み、ＤＣＳ信号のＦＩＦのビットＸが「１」であるか（色空間ｓＹＣＣでのＪＰＥＧ送信が指定されているか）否かを判断し、そうであればステップＳ１０（図４）に進み、そうでない時は、色空間ＬａｂでのＪＰＥＧ送信が指定されているかを調べるためにステップＳ２４（図５（Ｃ））に進む。
【００１６】
一方、ステップＳ４でファクシミリ受信が選択されていない時はステップＳ８に進み、ファクシミリ送信が選択されたかをみる。そうでない時はステップＳ９に進み、指定されたその他の処理を実行してステップＳ４３（図７（Ｂ））に進むが、送信が選択されるとステップＳ５１（図８）に進む。
【００１７】
ステップＳ７で、ビットＸが［１］で、色空間ｓＹＣＣでのＪＰＥＧ送信が指定されている時はステップＳ１０（図４）に進み、メモリカード３０がセットされていて、かつ受信可能であるか否かを判断し、そうであればステップＳ１１に進み、色空間ｓＹＣＣのＪＰＥＧ符号化データを受信してメモリカード３０に格納する。そしてステップＳ１２に進み、後手順を実行してステップＳ３（図３）に戻る。
【００１８】
一方、ステップＳ１０でメモリカード３０がセットされていない時はステップＳ１３に進み、記録回路１６に記録紙がセットされているか否かを判断し、記録紙があればステップＳ１４に進み、色空間ｓＹＣＣのＪＰＥＧ符号化データを受信し、復号して記録回路１６によりプリントする。そしてステップＳ１５に進み、後手順を実行してステップＳ３（図３）に戻る。
【００１９】
一方、ステップＳ１３で記録回路１６に記録紙がセットされていない時はステップＳ１６に進み、ファクシミリ受信したデータをメモリ１８に格納可能かどうかを判断する。これはメモリ１８に所定量以上の空エリアがあるかどうかにより判定される。メモリ１８に格納可能であればステップＳ２１（図５（Ａ））に進み、色空間ｓＹＣＣのＪＰＥＧ符号化データを受信してメモリ１８に格納する。そしてステップＳ２２に進み、後手順を実行してステップＳ３（図３）に戻る。またステップＳ１６（図４）で、メモリ１８に格納できない時はステップＳ２３（図５（Ｂ））に進み、操作部２０の表示部に「メモリ受信した情報をプリントをして下さい」と表示する。これにより、メモリ受信されてメモリ１８に記憶されている受信データが、オペレータの操作により記録回路１６により印刷され、その後消去される。これによりメモリ１８に所定量以上の空エリアが生じ、これにより、次からはメモリ受信が可能となる。この表示は操作部２０の何らかのキー操作で消去される。
【００２０】
また前述のステップＳ７（図３）で、色空間ｓＹＣＣでのＪＰＥＧ送信が指定されていないときはステップＳ２４（図５（Ｃ））に進み、ＤＣＳ信号のＦＩＦのビット６８が「１」であるか（色空間ＬａｂでのＪＰＥＧ送信データ）否かを判断し、そうであればステップＳ２５に進み、記録回路１６に記録紙がセットされているか否かを判断し、セットされていればステップＳ２６に進み、色空間ＬａｂでのＪＰＥＧ符号化データを受信し、復号して記録回路１６によりプリントする。そしてステップＳ３１（図６（Ａ））に進み、後手順を実行してステップＳ３（図３）に戻る。
【００２１】
一方、ステップＳ２５（図５（Ｃ））で記録紙がない時はステップＳ３２（図６（Ｂ））に進み、前述のステップＳ１６と同様に、受信データをメモリ１８に格納可能かどうか否かを判断し、格納可能であればステップＳ３３に進み、受信した色空間ＬａｂのＪＰＥＧ符号化データをメモリ１８に格納する。そしてステップＳ３４に進み、後手順を実行してステップＳ３（図３）に戻る。
【００２２】
またステップＳ２４で、色空間ＬａｂでのＪＰＥＧ符号データの送信でない時はステップＳ３５（図６（Ｃ））に進み、記録回路１６に記録紙がセットされているか否かを判断し、セットされている時はステップＳ３６に進み、モノクロのファクシミリ画像情報を受信し、復号して記録回路１６によりプリントする。そしてステップＳ３７に進み、後手順を実行してステップＳ３（図３）に戻る。
【００２３】
またステップＳ３５で、記録回路１６に記録紙がセットされていない時はステップＳ３８に進み、前述のステップＳ１６、ステップＳ３２と同様に、受信データをメモリ１８に格納可能か否かを判断し、格納可能であればステップＳ４１（図７（Ａ））に進み、受信したモノクロ画像情報を本体のメモリ１８に格納する。そしてステップＳ４２に進み、後手順を実行してステップＳ３（図３）に戻る。
【００２４】
また前述のステップＳ９（図３）を実行した後はステップＳ４３（図７（Ｂ））に進み、操作部２０におけるキー操作情報を入力し、代行受信してメモリ１８に記憶されている画像情報のプリントが指定されたか否かを判断する。指定されていない時はステップＳ３に戻るが、代行受信データの記録が指定された時はステップＳ４４に進み、選択された代行受信情報の受信情報に従い、記録回路１６を使用して、カラー或いはモノクロ画像をプリントする。こうしてメモリ代行受信データを印刷すると、その印刷済みのデータをメモリ１８から消去する。そしてステップＳ３（図３）に戻る。
【００２５】
次に、ファクシミリ送信が選択された場合の処理を説明する。
【００２６】
この場合はステップＳ８（図３）からステップＳ５１（図８）に進み、バス２６を介して、ＮＣＵ２のＣＭＬをオンする。次にステップＳ５２に進み、バス２６を介して、発呼回路１０を使用して指定された宛先へ発呼する。そしてステップＳ５３に進み、前手順を実行してステップＳ５４に進む。ステップＳ５４では、操作部２０からの情報を入力して、ファイル情報の送信が選択されたか否かを判断し、そうであればステップＳ５５に進み、そうでない時はステップＳ５９に進む。ステップＳ５５では、ＤＩＳ信号のＦＩＦのビットＸが「１」か（受信機が色空間ｓＹＣＣでのＪＰＥＧ符号の受信機能を有しているか）否かを判断し、そうであればステップＳ５６に進み、残りの前手順を実行する。ここでは、ＤＣＳ信号のＦＩＦのビットＸを「１」にして、色空間ｓＹＣＣでのＪＰＥＧ符号の送信を指定する。次にステップＳ５７に進み、カードインターフェース２８にセットされているメモリカード３０に格納されている、色空間ｓＹＣＣのＪＰＥＧ符号のフルカラー画像情報を読み出して送信する。尚、ここでは、ＲＳＴ（リスタート）マーカは使用しない。そしてステップＳ５８に進み、後手順を実行してステップＳ３（図３）に戻る。
【００２７】
一方、ステップＳ５４で、ファイル情報の送信が選択されていないときはステップＳ５９に進み、操作部２０からの情報により、カラー原稿情報の送信が選択されたか否かを判断する。そうであればステップＳ７４に進み、そうでない時はステップＳ７１に進む。
【００２８】
また、ステップＳ５５で、受信機が色空間ｓＹＣＣでのＪＰＥＧ符号の受信機能を有していないと判断した場合はステップＳ６０に進み、操作部２０の表示部に、「指定されたカラー通信が実行できないので、通信を中断します。」と表示して、オペレータに対して、送信しようとしている画像情報を受信する機能を受信機が有していない旨を警告する。この表示は何らかのキー操作で消去する。そしてステップＳ３に進む。
【００２９】
またステップＳ５９で、カラー原稿情報の送信が選択されていない時はステップＳ７１（図９（Ａ））に進み、残りの前手順を実行する。ここでは、ＤＣＳ信号のＦＩＦのビット６８，６９，Ｘを全て「０」にする。そしてステップＳ７２に進み、読取回路１４によりモノクロ原稿情報を読み取って符号化して送信する。そしてステップＳ７３に進み、後手順を実行してステップＳ３（図３）に戻る。
【００３０】
またステップＳ５９で、カラー原稿情報の送信が選択された時はステップＳ７４（図９（Ｂ））に進み、操作部２０からの情報を入力して、カラー原稿情報の送信時に、色空間ｓＹＣＣ或いは色空間Ｌａｂのいずれかが選択されているかを判断する。ここで色空間Ｌａｂが選択されているとステップＳ７５に進み、ＤＩＳ信号のＦＩＦのビット６８，６９ビットが「１」であるか（色空間ＬａｂでのＪＰＥＧ符号の受信或いはフルカラー受信機能があるか）否かを判断し、そうであればステップＳ７６に進み、残りの前手順を実行する。ここでは、ＤＣＳ信号のＦＩＦのビット６８，６９ビットを「１」にする。次にステップＳ７７に進み、色空間Ｌａｂにてカラー原稿情報をＪＰＥＧ符号化したフルカラー情報として送信する。ここではＲＳＴ（リスタート）マーカを送信する。そしてステップＳ８１（図１０（Ａ））に進み、後手順を実行してステップＳ３に戻る。尚、ステップＳ７５で、色空間ＬａｂでのＪＰＥＧ符号の受信或いはフルカラー受信機能がないと判断した場合は前述の図９（Ａ）のステップＳ７１に進み、モノクロの原稿画像情報を送信する。
【００３１】
また一方、ステップＳ７４（図９（Ｂ））で、色空間ｓＹＣＣ或いは色空間Ｌａｂのいずれも選択されていない場合はステップＳ８２（図１０（Ｂ））に進み、ＤＩＳ信号のＦＩＦのビットＸが「１」であるか否かを判断し、「１」であればステップＳ８３に進み、残りの前手順を実行する。ここでは、ＤＣＳ信号のＦＩＦのビットＸを「１」にする（色空間ｓＹＣＣでのＪＰＥＧ符号の送信指定）。次にステップＳ８４に進み、色空間ｓＹＣＣにてカラー原稿情報をＪＰＥＧ符号化したフルカラー情報を送信する。ここでは、ＲＳＴ（リスタート）マーカを送信しない。そしてステップＳ８５に進み、後手順を実行してステップＳ３（図３）に戻る。尚、ステップＳ８２で、ＤＩＳ信号のＦＩＦのビットＸが「１」でない時は前述の図９（Ａ）のステップＳ７１に進み、モノクロの原稿画像情報を送信する。
【００３２】
以上説明したように本実施の形態によれば、デジタルカメラで撮影した情報を送信可能なファクシミリ装置において、色空間ｓＹＣＣでＪＰＥＧ符号化した原稿情報の送信時に、ＲＳＴ（リスタート）マーカを使用しないで送信するので、受信機側が色空間ｓＹＣＣのデジタルスチールカメラで撮影した情報の受信のみを考えている場合でも、ＲＳＴ（リスタート）マーカを受信することにより通信エラーとなることがなくなり、とても使いやすいファクシミリ装置の提供が可能になった。
【００３３】
また、色空間Ｌａｂでのカラー原稿情報を送信する場合はＲＳＴ（リスタート）マーカを送信するため、受信機側の何らかの理由でＪＰＥＧ符号化データが壊れても、ページの途中から復旧できる。
【００３４】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００３５】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００３６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００３７】
上述した各実施の形態は以下のような実施態様で表わすことができる。
【００３８】
［実施態様１］  カラー画像情報を通信可能なファクシミリ装置であって、
色空間ＬａｂでのＪＰＥＧ符号化情報の送信を受信機に通知する手段と、
色空間Ｌａｂでのフルカラー画像情報の送信を受信機に通知する手段と、
色空間ｓＹＣＣのＪＰＥＧ符号化情報の送信を受信機に通知する手段と、
色空間ｓＹＣＣのＪＰＥＧ符号化情報の送信が指定されるとＲＳＴマーカの送信を禁止するように制御する制御手段と、
を有することを特徴とするファクシミリ装置。
【００３９】
［実施態様２］  前記制御手段は、前記色空間ＬａｂのＪＰＥＧフルカラー画像情報の送信の場合には、前記ＲＳＴマーカの送信を許可することを特徴とする実施態様１に記載のファクシミリ装置。
【００４０】
［実施態様３］  カラー画像情報を通信可能なファクシミリ装置における通信制御方法であって、
色空間ＬａｂでのＪＰＥＧ符号化情報の送信を受信機に通知する工程と、
色空間Ｌａｂでのフルカラー画像情報の送信を受信機に通知する工程と、
色空間ｓＹＣＣのＪＰＥＧ符号化情報の送信を受信機に通知する工程と、
色空間ｓＹＣＣのＪＰＥＧ符号化情報の送信が指定されるとＲＳＴマーカの送信を禁止するように制御する制御工程と、
を有することを特徴とする通信制御方法。
【００４１】
［実施態様４］  更に、前記色空間ＬａｂのＪＰＥＧフルカラー画像情報を送信する場合、前記ＲＳＴマーカの送信を許可する工程を備えることを特徴とする実施態様３に記載の通信制御方法。
【００４２】
【発明の効果】
以上説明したように本発明によれば、色空間ｓＹＣＣのＪＰＥＧ符号化でカラー原稿情報を送信する場合に、ＲＳＴ（リスタート）マーカを使用しないで送信することにより通信エラーの発生を抑えることができるという効果がある。
【図面の簡単な説明】
【図１】本発明の実施の形態に係るファクシミリ装置の構成を示す機能ブロック図である。
【図２】本実施の形態に係るファクシミリ装置で使用されるＤＩＳ／ＤＴＣ，ＤＣＳ信号のＦＩＦ情報の具体例を示す図である。
【図３】本実施の形態に係るファクシミリ装置における制御の流れを説明するフローチャートである。
【図４】本実施の形態に係るファクシミリ装置における制御の流れを説明するフローチャートである。
【図５】本実施の形態に係るファクシミリ装置における制御の流れを説明するフローチャートである。
【図６】本実施の形態に係るファクシミリ装置における制御の流れを説明するフローチャートである。
【図７】本実施の形態に係るファクシミリ装置における制御の流れを説明するフローチャートである。
【図８】本実施の形態に係るファクシミリ装置における制御の流れを説明するフローチャートである。
【図９】本実施の形態に係るファクシミリ装置における制御の流れを説明するフローチャートである。
【図１０】本発明の実施の形態に係るファクシミリ装置における制御の流れを説明するフローチャートである。
【図１】
2004235991.tif 000003
【図２】
2004235991.tif 000004
【図３】
2004235991.tif 000005
【図４】
2004235991.tif 000006
【図５】
2004235991.tif 000007
【図６】
2004235991.tif 000008
【図７】
2004235991.tif 000009
【図８】
2004235991.tif 000010
【図９】
2004235991.tif 000011
【図１０】
2004235991.tif 000012